(57)【特許請求の範囲】
【請求項１】
直流電源と、該直流電源の電圧に比較し、低い電圧から高い電圧に至る電圧に変換して放電灯に電力を供給する電力変換部と、該電力変換部の出力を所定値に制御する制御部と、上記電力変換部若しくは装置周囲の温度を検出する温度検出部と、上記放電灯とからなる放電灯点灯装置おいて、上記制御部は、所定のランプ電力にするための電力指令値を発生する電力指令値発生手段と、上記電力指令値の最大値を制限する最大電力制限手段とを有し、上記温度検出部からの温度検出値に応じて、上記最大電力制限手段の最大電力制限値を調整することを特徴とする放電灯点灯装置。
【請求項２】
上記最大電力制限手段は、上記温度検出部からの温度検出値が上がると最大電力制限値を下げ、温度検出値が下がると最大電力制限値を上げることを特徴とする請求項１記載の放電灯点灯装置。
【請求項３】
上記最大電力制限手段は、上記温度検出部からの温度検出値が所定の温度以上で、温度検出値が上がると最大電力制限値を下げ、温度検出値が下がると最大電力制限値を上げることを特徴とする請求項１記載の放電灯点灯装置。
【請求項４】
上記最大電力制限手段は、上記温度検出部からの温度検出値が所定の温度以上で最大電力制限値を段階的に低減することを特徴とする請求項１記載の放電灯点灯装置。
【請求項５】
上記制御部は、所定のランプ電流にするための電流指令値の最大値を制限する最大電流制限手段を有し、上記温度検出部からの温度検出値に応じて、上記最大電流制限手段の最大電流制限値を調整することを特徴とする請求項１乃至４の何れか記載の放電灯点灯装置。
【請求項６】
上記最大電流制限手段は、上記温度検出部からの温度検出値が上がると最大電流制限値を下げ、温度検出値が下がると最大電流制限値を上げることを特徴とする請求項５記載の放電灯点灯装置。
【請求項７】
上記最大電流制限手段は、上記温度検出部からの温度検出値が所定の温度以上で、温度検出値が上がると最大電流制限値を下げ、温度検出値が下がると最大電流制限値を上げることを特徴とする請求項５記載の放電灯点灯装置。
【請求項８】
上記最大電流制限手段は、上記温度検出部からの温度検出値が所定の温度以上で最大電流制限値を段階的に低減することを特徴とする請求項５記載の放電灯点灯装置。
【請求項９】
上記制御部は、上記温度検出部からの温度検出値に応じて、上記電力指令値発生手段の電力指令値を調整することを特徴とする請求項５乃至８の何れか記載の放電灯点灯装置。
【請求項１０】
上記電力指令値発生手段は、上記温度検出部からの温度検出値が上がると電力指令値を下げ、温度検出値が下がると電力指令値を上げることを特徴とする請求項９記載の放電灯点灯装置。
【請求項１１】
上記電力指令値発生手段は、上記温度検出部からの温度検出値が所定の温度以上で、温度検出値が上がると電力指令値を下げ、温度検出値が下がると電力指令値を上げることを特徴とする請求項９記載の放電灯点灯装置。
【請求項１２】
上記電力指令値発生手段は、上記温度検出部からの温度検出値が所定の温度以上で電力指令値を段階的に低減することを特徴とする請求項９記載の放電灯点灯装置。
【発明の詳細な説明】
【０００１】
【発明の属する技術分野】
本発明は、メタルハライドなどの高輝度放電灯（ＨＩＤ）の放電灯点灯装置に関するものである。
【０００２】
【従来の技術】
メタルハライドなどの高輝度放電灯（ＨＩＤ）は、ランプ温度が冷えている場合、始動から安定点灯までの光出力の立ち上がりが遅いことが欠点となっている。車両用前照灯や液晶プロジェクタ用光源としてこのような高輝度放電灯を使用する場合、その光出力の立ち上がりの改善が必要となる。そのため特開平２０００−２３５８９９号に示される放電灯点灯装置では、点灯直後、過大なランフ電流を流すことで、光出力の立ち上がりを早めている。
【０００３】
図２１はこの従来例の回路構成を示しており、この従来例は直流電源１、該直流電源１の電圧Ｖｉｎを必要とする電圧へ変換するＤＣ−ＤＣコンバータ部２、ＤＣ−ＤＣコンバータ部２の直流を交流へ変換するインバータ部３からなる電力変換部と、高輝度放電灯（ＨＩＤランプ）からなる放電灯５を始動させるのに必要な高電圧を放電灯５に印加するイグナイタ部４と、電力変換部を制御するための制御部８とで構成される。
【０００４】
制御部８の電流指令演算部８１は、ＤＣ−ＤＣコンバータ部２の出力電圧検出値と最大電力制限部８４で制限を受けた出力電力指令値ＷRによって、出力電流指令値を除算処理で得る。
【０００５】
制御部８の誤差アンプ８３は、出力電流指令値を最大電流制限部８２を介して入力するとともに、検出される出力電流検出値を入力して比較し、その誤差量に応じた出力制御信号Ｓ１によりＤＣ−ＤＣコンバータ部２を制御し。その出力を調整することで、放電灯５の安定点灯を実現している。
【０００６】
また制御部８の電力指令演算部８５から出力される出力電力指令値ＷRは、定常状態においては定格出力に設定されているが、始動直後は放電灯５の光出力を急速に立ち上げるための電力シフト量指令値を加えたものとなる。
【０００７】
制御部８の電力シフト指令発生部８６は、図２２（ａ）に示すように電力シフト量指令値Ｗｓとして出力する電力シフト量指令値を時間的に変化させる。
【０００８】
ところで電力シフト量指令値Ｗｓの時間関数は基本的に始動から最大出力の電力量以下となるまでの期間ＴWMXと、それ以降の変化形状を決めることが重要となる。
【０００９】
次にこの従来例回路の動作を簡単に説明する。
【００１０】
まず電源スイッチＳＷが投入され、電源電圧Ｖｉｎが入力すると電源電圧監視部９は、点灯許可信号Ｓ２をＤＣ−ＤＣコンバータ部２及び電力シフト指令発生部８６に出力しＤＣ−ＤＣコンバータ部２を動作させるとともに、電力シフト指令発生部８を動作させる。
【００１１】
ここで電力シフト指令発生部８６は消灯後からの経過時間に応じた電力シフト量指令値の初期値を決定してその初期値から時間関数曲線に沿って電力シフト量指令値を発生する。この電力シフト量指令値を取り込んだ電力指令演算部８５は定格出力値を加算して図２２（ｂ）に示す出力電力指令値ＷRを最大電力制限部８４を介して電流指令演算部８１に与える。
【００１２】
電流指令演算部８１はＤＣ−ＤＣコンバータ部２の出力電圧検出値と最大電力制限部８４からの出力電力指令値ＷRとにより出力電流指令値を演算し、該出力電流指令値を最大電流制限部８２を介して誤差アンプ８３に与え、誤差アンプ８３はＤＣ−ＤＣコンバータ部２の出力電流検出値の差を出力電流指令値と、検出される出力電流値を比較し、その誤差量に応じた出力制御信号Ｓ１によりＤＣ−ＤＣコンバータ部２を制御してその出力を調整し、放電灯５を安定点灯させる。
【００１３】
【発明が解決しようとする課題】
ところで近年、省エネルギ、高輝度の観点から上述したように車両用前照灯や液晶プロジェクタ用光源に放電灯点灯装置の利用が増大してきているが、これらの用途では小形化の要求が強く、そのため同時にランプ近傍の高温度下での使用の可能性もでてきている。しかしながら上述のような従来例のように点灯直後、過大なランプ電流を流すことで、光出力の立ち上がりを早めている放電灯点灯装置では、小形化やランプ近傍使用を進めることによって内部温度が従来より上昇するという問題があった。
【００１４】
本発明は上述の問題点に鑑みて為されたもので、その目的とするところは、高温度下による使用において内部温度上昇を低減することができる放電灯点灯装置を提供することにある。
【００１５】
また、内部温度の異常な上昇に対して保護機能をもつ放電灯点灯装置を提供することにある。
【００１６】
【課題を解決するための手段】
上記目的を達成するために、請求項１の発明では、直流電源と、該直流電源の電圧に比較し、低い電圧から高い電圧に至る電圧に変換して放電灯に電力を供給する電力変換部と、該電力変換部の出力を所定値に制御する制御部と、上記電力変換部若しくは装置周囲の温度を検出する温度検出部と、上記放電灯とからなる放電灯点灯装置おいて、上記制御部は、所定のランプ電力にするための電力指令値を発生する電力指令値発生手段と、上記電力指令値の最大値を制限する最大電力制限手段とを有し、上記温度検出部からの温度検出値に応じて、上記最大電力制限手段の最大電力制限値を調整することを特徴とする。
【００１７】
請求項２の発明では、請求項１の発明において、上記最大電力制限手段は、上記温度検出部からの温度検出値が上がると最大電力制限値を下げ、温度検出値が下がると最大電力制限値を上げることを特徴とする。
【００１８】
請求項３の発明では、請求項１の発明において、上記最大電力制限手段は、上記温度検出部からの温度検出値が所定の温度以上で、温度検出値が上がると最大電力制限値を下げ、温度検出値が下がると最大電力制限値を上げることを特徴とする。
【００１９】
請求項４の発明では、請求項１の発明において、上記最大電力制限手段は、上記温度検出部からの温度検出値が所定の温度以上で最大電力制限値を段階的に低減することを特徴とする。
【００２０】
請求項５の発明では、請求項１乃至４の何れかの発明において、上記制御部は、所定のランプ電流にするための電流指令値の最大値を制限する最大電流制限手段を有し、上記温度検出部からの温度検出値に応じて、上記最大電流制限手段の最大電流制限値を調整することを特徴とする。
【００２１】
請求項６の発明では、請求項５の発明において、上記最大電流制限手段は、上記温度検出部からの温度検出値が上がると最大電流制限値を下げ、温度検出値が下がると最大電流制限値を上げることを特徴とする。
【００２２】
請求項７の発明では、請求項５の発明において、上記最大電流制限手段は、上記温度検出部からの温度検出値が所定の温度以上で、温度検出値が上がると最大電流制限値を下げ、温度検出値が下がると最大電流制限値を上げることを特徴とする。
【００２３】
請求項８の発明では、請求項５の発明において、上記最大電流制限手段は、上記温度検出部からの温度検出値が所定の温度以上で最大電流制限値を段階的に低減することを特徴とする。
【００２４】
請求項９の発明では、請求項５乃至８の何れかの発明において、上記制御部は、上記温度検出部からの温度検出値に応じて、上記電力指令値発生手段の電力指令値を調整することを特徴とする。
【００２５】
請求項１０の発明では、請求項９の発明において、上記電力指令値発生手段は、上記温度検出部からの温度検出値が上がると電力指令値を下げ、温度検出値が下がると電力指令値を上げることを特徴とする。
【００２６】
請求項１１の発明では、請求項９の発明において、上記電力指令値発生手段は、上記温度検出部からの温度検出値が所定の温度以上で、温度検出値が上がると電力指令値を下げ、温度検出値が下がると電力指令値を上げることを特徴とする。
【００２７】
請求項１２の発明では、請求項９の発明において、上記電力指令値発生手段は、上記温度検出部からの温度検出値が所定の温度以上で電力指令値を段階的に低減することを特徴とする。
【００２８】
【発明の実施の形態】
以下本発明を実施形態により説明する。
（実施形態１）
図１は、本実施形態の放電灯点灯装置の基本的な構成を示すブロック図であり、かかる本実施形態装置は、入力電源たる直流電源１の電圧Ｖｉｎから負荷、この場合高輝度放電灯からなる放電灯５が必要とする電圧へ変換するＤＣ−ＤＣコンバータ部２と、ＤＣ−ＤＣコンバータ部２の直流出力を交流に変換させるインバータ部３とで電力変換装置を構成するとともに、放電灯５を始動させるのに必要な高電圧を放電灯５に印加するイグナイタ部４と、ＤＣ−ＤＣコンバータ部２を制御する制御部６と、ＤＣ−ＤＣコンバータ部２や放電灯点灯装置の周囲温度Ｔａを検出する温度検出部７とで構成されている。
【００２９】
制御部６はランプ電流を検出する電流検出部６１、ランプ電圧を検出する電圧検出部６２、所定のランプ電力にするための電力指令値KWlaを出力する電力指令値発生部６４、ランプ電力の最大電力を所定の値MaxWlaに制限する最大電力制限部６６、最大電力制限部６６の出力KWla2と電圧検出部６２の電圧検出値Vlaから電流指令値KIlaを演算する電流指令値演算部６３、放電灯５の最大電流を所定の値MaxIlaに制限する最大電流制限部６７、最大電流制限部６７の出力KIla2と電流検出部６１の電流検出値Ilaとを比較することによってＤＣ−ＤＣコンバータ部２へ出力制御信号Ｓ１を出す誤差アンプ６５で構成されている。尚図中ＳＷは電源スイッチ、Ｒ１はランプ電圧検出用抵抗、Ｒ２はランプ電流検出用抵抗である。
【００３０】
次に温度検出部７の具体例について説明する。
【００３１】
図２（ａ）は、温度検出部７の一の回路例を示しており、この温度検出部７は図示するように温度検出用ＩＣ７１と基準電圧Ｖccとで構成されている。
【００３２】
この温度検出用ＩＣ７１の検出出力は同図（ｂ）に示すように周囲温度Ｔａに比例した出力電圧ＶＴを出力する。この出力電圧ＶＴは最大電力制限部６６に入力する。
【００３３】
基準電圧Ｖccは温度検出用ＩＣ７１の電源で数Ｖ程度である。この方法は精度良く温度情報を出力電圧情報に変換することができるが、温度検出用１Ｃを使用しているため小形化に限界がある。
【００３４】
図３（ａ）は、温度検出部７の別の回路例を示しており、この温度検出部７は図示するように抵抗７２と負特性のサーミスタ７３と基準電圧Ｖccとで構成されている。
【００３５】
本例の温度検出部７は同図（ｂ）に示すように周囲温度に対応した出力電圧ＶＴを出力する。この出力電圧ＶＴは最大電力制限部６６に入力する。サーミスタ７３は検出温度が上がると抵抗値が下がる（負の温度係数を有する）ので基準電圧Ｖccを抵抗７２とサーミスタ７３で分圧することにより温度が上がるほど出力電圧ＶＴの値が下がる特性となる。
【００３６】
この回路例では構成が単純で小形化することが可能な上に、精度良く温度情報を出力電圧情報に変換することができる。サーミスタには１００５サイズ（１．０ｍｍ×０．５ｍｍ）のチップ形状のものもある。
【００３７】
図４（ａ）は、温度検出部の他の回路例を示しており、図示するように抵抗７２と負特性のサーミスタ７３と基準電圧Ｖccとで構成され、図３の例とは抵抗７２とサーミスタ７３の位置が反対となっている。
【００３８】
本例の温度検出部７は同図（ｂ）に示すように周囲温度に対応した出力電圧ＶＴを出力する。この出力電圧ＶＴは最大電力制限部６６に入力する。サーミスタ７３は温度が上がると抵抗値が下がる（負の温度係数を有する）ので基準電圧Ｖccを抵抗８２とサーミスタ８３で分圧することにより温度が上がるほど出力電圧ＶＴの値が上がる特性となる。尚本例の利点も図３の例と同じである。
【００３９】
次に本実施形態の動作を図１、図５に基づいて説明する。
【００４０】
まず所定のランプ電力にするための電力指令値KWlaを出力する電力指令値発生部６４は、図５（ａ）に示すように、放電灯５の点灯時から数秒の間、最大電力制限値MaxWlaを越える電力指令値KWlaを出力し、数１０秒後には定常出力になるような電力指令値KWlaを出力している。最大電力制限部６６では、最大電力制限値MaxWlaと電力指令値発生部６４からの出力である電力指令値KWlaとを比較し、小さい値を電力指令値KWla2として図５（ｂ）に示すように電流指令値演算部６３に出力している。
【００４１】
最大電力制限部６６は、温度検出部７の温度に対応した出力信号を最大電力制限値MaxWlaに変換する変換回路と、その出力と電力指令値KWlaとを比較し、小さい値を電力指令値KWla2として電流指令値演算部６３に出力する比較回路または制限値回路で構成できる。具体的回路は周知の回路を用いれば良いので、ここでは特に図示しない。
【００４２】
図５は初始動（放電灯５のコールドスタート時）の例であり、最大電力制限値MaxWlaは定常出力の２倍程度である（自動車に搭載する車載用の定格３５Ｗの放電灯の最大電力は７５Ｗ）。また再始動の場合は、ランプ温度に応じて電力指令値KWlaの初期値を調整している。
【００４３】
そこで温度検出部７の温度に対応した出力信号を最大電力制限部６６に入力し、その信号に応じて図６に示すように最大電力制限値MaxWlaを調整する。
【００４４】
ここでＴminを最低温度、Ｔmaxを最高温度と規定し、その範囲で最大電力制限値MaxWlaを温度に対して負特性としている。
【００４５】
また最高温度Ｔmax時の最大電力制限値MaxWlaは定常出力以上とし、放電灯５が点灯維持ができる程度の電力に設定する。そして最高温度Ｔmaxを越えると異常とみなして出力を停止する。
【００４６】
以上よりＤＣ−ＤＣコンバータ部２や放電灯点灯装置の周囲温度Ｔａの上昇によって、最大電力制限値MaxWlaを低減し、内部損失を低減させることが可能になる。よって、光出力の立ち上がり時のＤＣ−ＤＣコンバータ部２や放電灯点灯装置の周囲温度Ｔａの上昇を緩和あるいは低減することが可能となった。
【００４７】
次に図７に示す周囲温度Ｔａによる最大電力制限値MaxWlaについて説明する。温度検出部７の検出温度に対応した出力信号を最大電力制限部６６に入力し、その信号に応じて図７に示すように最大電力制限値MaxWlaを調整する。
【００４８】
ここでＴminを最低温度、Ｔmaxを最高温度、Ｔ0を所定の温度と規定し、所定温度Ｔ0から最高温度Ｔmaxの範囲で最大電力制限値MaxWlaを温度に対して負特性としている。
【００４９】
そして所定温度Ｔ0までは最大電力制限値MaxWlaを低減しないので、所定温度Ｔ0付近までは光出力の立ち上がり特性が十分確保される。所定温度Ｔ0は使用環境、放電灯点灯装置の使用部品（ＭＯＳＦＥＴ，トランス，コンデンサ，ダイオードなど）の特性によって設定する（例えば１００〜１２０℃付近）。
【００５０】
また最高温度Ｔmax時の最大電力制限値MaxWlaは定常出力以上とし、放電灯５が点灯維持ができる程度の電力に設定する。そして最高温度Ｔmaxを越えると異常とみなして出力を停止する。
【００５１】
以上よりＤＣ−ＤＣコンバータ部２や放電灯点灯装置の周囲温度Ｔａの上昇によって最大電力制限値MaxWlaを低減し、内部損失を低減させることが可能になる。よって、光出力の立ち上がり時のＤＣ−ＤＣコンバータ部２や放電灯点灯装置の周囲温度Ｔａの上昇を緩和あるいは低減することが可能となった。また所定温度Ｔ0付近まで光出力の立ち上がり特性を十分確保することができる。
【００５２】
次に図８に示す周囲温度Ｔａによる最大電力制限値MaxWlaについて説明する。
【００５３】
まず温度検出部７の検出温度に対応した出力信号を最大電力制限部６６に入力し、その信号に応じて図８に示すように最大電力制限値MaxWlaを調整する。
ここでＴminを最低温度、Ｔmaxを最高温度、Ｔ0を所定の温度と規定し、所定温度Ｔ0から最高温度Ｔmaxの範囲で最大電力制限値MaxWlaを温度に対して段階的に低減している。
【００５４】
そして所定温度Ｔ0までは最大電力制限値MaxWlaを低減しないので、所定温度Ｔ0付近までは光出力の立ち上がり特性が十分確保される。
【００５５】
所定温度Ｔ0は使用環境、放電灯点灯装置の使用部品（ＭＯＳＦＥＴ、トランス、コンデンサ、ダイオードなど）の特性によって設定する（例えば１００〜１２０℃付近）。
【００５６】
また最高温度Ｔmax時の最大電力制限値MaxWlaは定常出力以上とし、放電灯７が点灯維持ができる程度の電力に設定する。最高温度Ｔmaxを越えると異常とみなして出力を停止する。
【００５７】
以上より、ＤＣ−ＤＣコンバータ部２や放電灯点灯装置の周囲温度Ｔａの上昇によって、最大電力制限値MaxWlaを低減し、内部損失を低減させることが可能になる。よって光出力の立ち上がり時のＤＣ−ＤＣコンバータ部２や放電灯点灯装置の周囲温度Ｔａの上昇を緩和あるいは低減することが可能となった。
【００５８】
また、所定温度Ｔ0付近まで光出力の立ち上がり特性を十分確保することができ、更にまた、段階的に低減するので、最大電力制御部６６の構成が簡単にできる。但し、切換温度付近でのチャタリングが起きる場合には切換温度にヒステリシスを持たす等の対策が必要である。
（実施形態２）
図９は、本実施形態の放電灯点灯装置の基本的な構成を示すブロック図であり、本実施形態装置も実施形態１と同様に入力電源たる直流電源１から負荷、この場合高輝度放電灯からなる放電灯５が必要とする電圧へ変換するＤＣ−ＤＣコンバータ部２と、ＤＣ−ＤＣコンバータ部２の直流出力を交流に変換させるインバータ部３とで電力変換装置を構成するとともに、放電灯５を始動させるのに必要な高電圧を放電灯５に印加するイグナイタ部４と、ＤＣ−ＤＣコンバータ部２を制御する制御部６と、ＤＣ−ＤＣコンバータ部２や放電灯点灯装置の周囲温度Ｔａを検出する温度検出部７とで構成されている。
【００５９】
制御部６はランプ電流を検出する電流検出部６１、ランプ電圧を検出する電圧検出部６２、所定のランプ電力にするための電力指令値KWlaを出力する電力指令値発生部６４、ランプの最大電力を所定の値MaxWlaに制限する最大電力制限部６６、最大電力制限部６６の出力KWla2と電圧検出部６２の電圧検出値Vlaから電流指令値KIlaを演算する電流指令値演算部６３、放電灯５の最大電流を所定の値MaxIalに制限する最大電流制限部６７、最大電流制限部６７の出力KIlaと電流検出部６１の電流検出値Ilaとを比較することによってＤＣ−ＤＣコンバータ部２へ出力制御信号Ｓ１を出す誤差アンプ６５とで構成されている。
【００６０】
尚ＳＷは電源スイッチ、Ｒ１はランプ電圧検出用抵抗、Ｒ２はランプ電流検出用抵抗である。
【００６１】
また温度検出部７の具体回路例については実施形態１（図２〜４の例）と同じなので省略する。但し、温度検出部７の出力信号は最大電力制限部６６、最大電流制限部６７に入力される。
【００６２】
次に本実施形態の動作を図９、図１０によって説明する。温度検出部７の出力信号は最大電力制限部６６、最大電流制限部６７に入力される。最大電力制限部６６は実施形態１と同じなので省略する（図５〜８参照）。
【００６３】
次に最大電流制限部６７について説明する。まず最大電力制限部６６の出力と電圧検出値Vlaから電流指令値KIlaを演算する電流指令値演算部６３は、図１０（ａ）に示すように、放電灯５の点灯時から数秒の間、最大電流制限値MaxIlaを越える電流指令値KIlaを出力し、数１０秒後には定常出力になるような電流指令値KIlaを出力している。電流指令値演算部６３は、最大電力制限部６６の出力KWla2を電圧検出値Vlaで割り、電流指令値KIlaを演算している（KIla＝KWla2/Vla）。従って、放電灯５の特性によって図１０（ａ）の曲線は異なる。
【００６４】
またランプ電圧の高いものは、電流指令値KIlaが低くなるし、反対にランプ電圧の低いものは、電流指令値KIlaが高くなる。
【００６５】
最大電流制限部６７では、最大電流制限値MaxIlaと電流指令値演算部６３からの出力である電流指令値KIlaを比較し、図１０（ｂ）に示すように小さい値を電流指令値KIla2として誤差アンプ６５に出力している。
【００６６】
最大電流制限部６７は、温度検出部７の温度に対応した出力信号を最大電流制限値MaxIlaに変換する変換回路と、その出力と電流指令値KIlaとを比較し小さい値を電流指令値KIla2として誤差アンプ６５に出力する比較回路または制限値回路で構成できる。具体的回路は周知の回路を用いれば良いので、ここでは特に図示しない。
【００６７】
図１０は初始動（ランプのコールドスタート時）の例であり、最大電流制限値MaxIlaは定常出力のほぼ６倍程度である自動車に搭載する車載用の定格３５Ｗ  ０．４１２Ａの放電灯の最大電流は２．６Ａ）。
【００６８】
再始動の場合は、ランプ温度に応じて電力指令値KWlaの初期値を調整しているので電流指令値KIlaも連動する。
【００６９】
そこで温度検出部７の温度に対応した出力信号を最大電流制限部６７に入力し、その信号に応じて図１１に示すように最大電流制限値MaxIlaを調整する。  ここでＴminを最低温度、Ｔmaxを最高温度と規定し、その範囲で最大電流制限値MaxIlaを温度に対して負特性としている。また最高温度Ｔmax時の最大電流制限値MaxIlaは定常出力以上とし、放電灯５が点灯維持ができる程度の電流に設定する。そして最高温度Ｔmaxを越えると異常とみなして出力を停止する。
【００７０】
以上よりＤＣ−ＤＣコンバータ部２や放電灯点灯装置の周囲温度Ｔａの上昇によって、最大電力制限値MaxWla及び最大電流制限値MaxIlaを低減し、内部損失を低減させることが可能になる。よって、光出力の立ち上がり時のＤＣ−ＤＣコンバータ部２や放電灯点灯装置の周囲温度Ｔａの上昇を緩和あるいは低減することが可能となった。
【００７１】
また、ランプ電流の制御である最大電流制限値MaxIlaに検出温度による低減を付けることによって、ランプ電圧が寿命末期等で劣化したものについても最大電流制限値MaxIlaを低減することで放電灯５及び放電灯点灯装置を保護することができる。
【００７２】
次に図１２に示す周囲温度Ｔａによる最大電流制限値MaXIlaについて説明する。温度検出部７の検出温度に対応した出力信号を最大電流制限部６７に入力し、その信号に応じて図１２に示すように最大電流制限値MaxIlaを調整する。ここでＴminを最低温度、Ｔmaxを最高温度、Ｔ0を所定の温度と規定し、所定温度Ｔ0から最高温度Ｔmaxの範囲で最大電流制限値MaxIlaを温度に対して負特性としている。そしてＴ0までは最大電流制限値MaxIlaを低減しないので、所定温度Ｔ0付近までは光出力の立ち上がり特性が十分確保される。所定温度Ｔ0は使用環境、放電灯点灯装置の使用部品（ＭＯＳＦＥＴ，トランス，コンデンサ，ダイオードなど）の特性によって設定する（例えば１００〜１２０℃付近）。
【００７３】
また最高温度Ｔmax時の最大電流制限値MaxIlaは定常出力以上とし、放電灯５が点灯維持ができる程度の電流に設定する。そして最高温度Ｔmaxを越えると異常とみなして出力を停止する。
【００７４】
以上よりＤＣ−ＤＣコンバータ部２や放電灯点灯装置の周囲温度Ｔａの上昇によって、最大電力制限値MaxWla及び最大電流制限値MaxIlaを低減し、内部損失を低減させることが可能になった。よって、光出力の立ち上がり時のＤＣ−ＤＣコンバータ部２や放電灯点灯装置の周囲温度Ｔａの上昇を緩和あるいは低減することが可能となった。また、ランプ電流の制御である最大電流制限値MaxIlaに周囲温度Ｔａによる低減を付けることによって、ランプ電圧が寿命末期等で劣化したものについても最大電流制限値MaxIlaを低減することで放電灯５及び放電灯点灯装置を保護することができる。また、Ｔ0付近まで光出力の立ち上がり特性を十分確保することができる。
【００７５】
次に図１３に示す検出温度Ｔａによる最大電流制限値MaxIlaについて説明する。温度検出部７の温度に対応した出力信号を最大電流制限部６７に入力し、その信号に応じて図１３に示すように最大電流制限値MaxIlaを調整する。Ｔminを最低温度、Ｔmaxを最高温度、Ｔ0を所定の温度と規定し、Ｔ0からＴmaxの範囲で最大電流制限値MaxIlaを温度に対して段階的に低減している。
【００７６】
またＴ0までは最大電流制限値MaxIlaを低減しないので、Ｔ0付近までは光出力の立ち上がり特性が十分確保される。Ｔ0は使用環境、放電灯点灯装置の使用部品（ＭＯＳＦＥＴ，トランス，コンデンサ，ダイオードなど）の特性によって設定する（例えば１００〜１２０℃付近）。また最高温度Ｔmax時の最大電流制限値MaxIlaは定常出力以上とし、放電灯５が点灯維持ができる程度の電流に設定する。そして最高温度Ｔmaxを越えると異常とみなして出力を停止する。
【００７７】
以上よりＤＣ−ＤＣコンバータ部２や放電灯点灯装置の周囲温度Ｔａの上昇によって、最大電力制限値MaxWla及び最大電流制限値MaxIlaを低減し、内部損失を低減させることが可能になる。よって、光出力の立ち上がり時のＤＣ−ＤＣコンバータ部２や放電灯点灯装置の周囲温度Ｔａの上昇を緩和あるいは低減することが可能となった。
【００７８】
またランプ電流の制御である最大電流制限値MaxIlaに検出温度による低減を付けることによって、ランプ電圧が寿命末期等で劣化したものについても最大電流制限値MaxIlaを低減することで放電灯５及び放電灯点灯装置を保護することができる。また、Ｔ0付近まで光出力の立ち上がり特性を十分確保することができる。また、段階的に低減するので最大電流制限部６７の構成が簡単にできる。但し、切換温度付近でのチャタリングが起こる場合は切換温度にヒステリシスを持たす等の対策が必要である。
（実施形態３）
図１４は本実施形態の放電灯点灯装置の基本的な構成を示すブロック図であり、本実施形態装置は上記実施形態１，２と同様に、入力電源たる直流電源１から負荷、この場合高輝度放電灯からなる放電灯５が必要とする電圧へ変換するＤＣ−ＤＣコンバータ部２と、ＤＣ−ＤＣコンバータ部２の直流出力を交流に変換させるインバータ部３とで電力変換装置を構成するとともに、放電灯５を始動させるのに必要な高電圧を放電灯５に印加するイグナイタ部４と、ＤＣ−ＤＣコンバータ部２を制御する制御部６と、ＤＣ−ＤＣコンバータ部２や放電灯点灯装置の周囲温度Ｔａを検出する温度検出部７とで構成されている。
【００７９】
制御部６はランプ電流を検出する電流検出部６１、ランプ電圧を検出する電圧検出部６２、所定のランプ電力にするための電力指令値KWlaを出力する電力指令値発生部６４、ランプの最大電力を所定の値MaxWlaに制限する最大電力制限部６６、最大電力制限部６６の出力KWla2と電圧検出部６２の電圧検出値Vlaから電流指令値KIlaを演算する電流指令値演算部６３、放電灯５の最大電流を所定の値MaxIalに制限する最大電流制限部６７、最大電流制限部６７の出力KIlaと電流検出部６１の電流検出値Ilaとを比較することによってＤＣ−ＤＣコンバータ部２へ出力制御信号Ｓ１を出す誤差アンプ６５とで構成されている。
【００８０】
尚ＳＷは電源スイッチ、Ｒ１はランプ電圧検出用抵抗、Ｒ２はランプ電流検出用抵抗である。
【００８１】
また温度検出部７の具体回路例については実施形態１（図２〜４の例）と同じなので省略する。但し、温度検出部７の出力信号は最大電力制限部６６、最大電流制限部６７、電力指令値発生部６４に夫々入力される。
【００８２】
次に本実施形態の動作を図５、図１４によって説明する。温度検出部７の出力信号は最大電力制限部６６、最大電流制限部６７、電力指令値発生部６４に入力される。
【００８３】
最大電力制限部６６は実施形態１と同じなので省略する（図５〜８を参照）最大電流制限部６７は実施形態２と同じなので省略する（図１０〜１３を参照）。
【００８４】
また所定のランプ電力にするための電力指令値KWlaを出力する電力指令値発生部６４は、図５（ａ）に示すように、放電灯５の点灯時から数秒の間、最大電力制限値MaxWlaを越える電力指令値KWlaを出力し、数１０秒後には定常出力になるような電力指令値KWlaを出力している。
【００８５】
電力指令値発生部６４は、所定のランプ電力にするための電力指令値発生回路と、温度検出部７の検出温度に対応した出力信号を電力指令値KWlaに変換する変換回路とで構成できる。具体的回路は周知の回路を用いれば良いので、ここでは特に図示しない。
【００８６】
図５は上述したように初始動（ランプのコールドスタート時）の例であり、最大電力制限値MaxWlaは定常出力の２倍程度である（自動車に搭載する車載用の定格３５Ｗの放電灯の最大電力は７５Ｗ）。再始動の場合は、ランプ温度に応じて電力指令値KWlaの初期値を調整している。そこで温度検出部７の検出温度に対応した出力信号を電力指令値発生部６４に入力し、その信号に応じて図１５に示すように電力指令値KWlaを調整する（図１５は定常時の電力指令値の例である）。
【００８７】
ここでＴminを最低温度、Ｔmaxを最高温度と規定し、その範囲で電力指令値KWlaを温度に対して負特性としている。また最高温度Ｔmax時の電力指令値KWlaは、放電灯５が点灯維持ができる程度の電力に設定する。そして最高温度Ｔmaxを越えると異常とみなして出力を停止する。
【００８８】
以上よりＤＣ−ＤＣコンバータ部２や放電灯点灯装置の周囲温度の上昇によって、最大電力制限値MaxWla及び最大電流制限値MaxIla及び電力指令値KWlaを低減し、内部損失を低減させることが可能になる。よって、ＤＣ−ＤＣコンバータ部２や放電灯点灯装置の周囲温度Ｔａの上昇を緩和あるいは低減することが可能となった。
【００８９】
また、ランプ電流の制御である最大電流制限値MaxIlaに周囲温度Ｔａによる低減を付けることによって、ランプ電圧が寿命末期等で劣化したものについても最大電流制限値MaxIlaを低減することで放電灯５及び放電灯点灯装置を保護することができる。
【００９０】
次に図１６に示す周囲温度Ｔａによる電力指令値KWlaについて説明する。温度検出部７の検出温度に対応した出力信号を電力指令値発生部６４に入力し、その信号に応じて図１６に示すように電力指令値KWlaを調整する（図１６は定常時の電力指令値の例である）。また最高温度Ｔminを最低温度、Ｔmaxを最高温度、Ｔ0を所定の温度と規定し、所定温度Ｔ0から最高温度Ｔmaxの範囲で電力指令値KWlaを温度に対して負特性としている。そして所定温度Ｔ0までは電力指令値KWlaを低減しないので、所定温度Ｔ0付近までは光出力特性が十分確保される。尚所定温度Ｔ0は使用環境、放電灯点灯装置の使用部品（ＭＯＳＦＥＴ，トランス，コンデンサ，ダイオードなど）の特性によって設定する（例えば１００〜１２０℃付近）。また最高温度Ｔmax時の電力指令値KWlaは、放電灯５が点灯維持ができる程度の電力に設定する。そして最高温度Ｔmaxを越えると異常とみなして出力を停止する。
【００９１】
以上よりＤＣ−ＤＣコンバータ部２や放電灯点灯装置の周囲温度の上昇によって、最大電力制限値MaxWla及び最大電流制限値MaxIla及び電力指令値KWlaを低減し、内部損失を低減させることが可能になる。よって、ＤＣ−ＤＣコンバータ部２や放電灯点灯装置の周囲温度Ｔａの上昇を緩和あるいは低減することが可能となった。また、ランプ電流の制御である最大電流制限値MaxIlaに周囲温度Ｔａによる低減を付けることによって、ランプ電圧が寿命末期等で劣化したものについても最大電流制限値MaxIlaを低減することで放電灯５及び放電灯点灯装置を保護することができる。また、所定温度Ｔ0付近まで光出力特性を十分確保することができる。
【００９２】
次に図１７に示す周囲温度Ｔａによる電力指令値KWlaについて説明する。温度検出部７の検出温度に対応した出力信号を電力指令値発生部６４に入力し、その信号に応じて図１７に示すように電力指令値KWlaを調整する（図１７は定常時の電力指令値KWlaの例である）。
【００９３】
ここでＴminを最低温度、Ｔmaxを最高温度、Ｔ0を所定の温度と規定し、所定温度Ｔ0から最高温度Ｔmaxの範囲で電力指令値KWlaを温度に対して段階的に低減している。そして所定温度Ｔ0までは電力指令値KWlaを低減しないので、所定温度Ｔ0付近までは光出力特性が十分確保される。尚所定温度Ｔ0は使用環境、放電灯点灯装置の使用部品（ＭＯＳＦＥＴ，トランス，コンデンサ，ダイオードなど）の特性によって設定する（例えば１００〜１２０℃付近）。
【００９４】
また最高温度Ｔmax時の電力指令値KWlaは放電灯が点灯維持ができる程度の電力に設定する。そして最高温度Ｔmaxを越えると異常とみなして出力を停止する。
【００９５】
以上よりＤＣ−ＤＣコンバータ部２や放電灯点灯装置の周囲温度の上昇によって、最大電力制限値MaxWla及び最大電流制限値MaxIla及び電力指令値KWlaを低減し、内部損失を低減させることが可能になる。よって、ＤＣ−ＤＣコンバータ部２や放電灯点灯装置の周囲温度Ｔａの上昇を緩和あるいは低減することが可能となった。また、ランプ電流の制御である最大電流制限値MaxIlaに周囲温度Ｔａによる低減を付けることによって、ランプ電圧が寿命末期等で劣化したものについても最大電流制限値を低減することで放電灯５及び放電灯点灯装置を保護することができる。また、所定温度Ｔ0付近まで光出力特性を十分確保することができる。また段階的に低減するので電力指令値発生部６４の構成が簡単にできる。ただし、切換温度付近でのチャタリングが起こる場合は切換温度にヒステリシスを持たす等の対策が必要である。
【００９６】
（実施形態４）
本実施形態は上記実施形態１〜３の制御部６をマイクロコンピュータにより構成したものであり、図１８は、最大電力制限と最大電流制限の動作をマイクロコンピュータを用いて行った時のランプ点灯から電力指令値KWlaの設定と電流指令値KWIlaの設定までのフローチャートを示している。尚具体回路は省略するが、温度検出部７、電力変換部の各部の構成は実施形態１の図１を参照する。
【００９７】
本実施形態では放電灯５の状態によって経時的に変化する出力電力指令値、特に高輝度放電灯（ＨＩＤランプ）を始動させてから安定点灯にいたるまでのランプ立ち上げ期間である高出力電力時の出力電流指令値を温度検出結果より決められた最大電力制限値MaxWlaと最大電流制限値MaxIlaの両方をもちいて制限する処理を行い、その制限された電流指令値KIlaを用いて放電灯５を立ち上げる。
【００９８】
ここで図１８のフローチャートにおいて各ステップは次のようになっている。
【００９９】
まずステップＦ１ではインバータ部３を含む電力変換部の温度を読込み、ステップＦ２では経時的に変化する電力指令値KWlaを設定する。ステップＦ３では温度検出部７が検出した温度より関数やテーブルを用いて最大電力と最大電流の制限値を決定する。
【０１００】
そして次のステップＦ４では電力指令値KWlaと最大電力制限値MaxWlaを比較し、ステップＦ５において、電力指令値KWlaを最大電力制限値MaxWlaに変更する。
【０１０１】
ステップＦ６ではランプ電圧Ｖlaを読込む。ステップＦ７では電力指令値KWlaを読込んだ電圧値で割り電流指令値KIlaを得る。ステップＦ８では電流指令値KIlaと最大電流制限値MaxIlaとを比較する。
【０１０２】
ステップＦ９では電流指令値KIlaを最大電流指令値KIla2に変更する。
【０１０３】
次に本実施形態の処理動作を図１８に沿って詳説する。
【０１０４】
まず電源オンから初期設定を経て、インバータ部３の温度を読込み（ステップＦ１）、次のステップＦ２で経時的に変化する電力指令値KWlaを設定する。
【０１０５】
図６〜８に示すような様な周囲温度Ｔａに対する最大電力の関数やテーブルを用いて最大電力制限値MaxWlaや最大電力制限値MaxWIlaを決める過程となる（ステップＦ３）。
【０１０６】
この過程ではステップＦ４において電力指令値KWlaと最大電力指令値KWla2とを比較し、電力指令値KWlaが最大電力指令値KWla2より大きければ、ステップＦ５において電力指令値KWlaを最大電力指令値KWla2と変更する（ここで、最大電力制限がかけられる）。
【０１０７】
次のステップＦ６においてランプ電圧Ｖlaを読込み、ステップＦ７で電力指令値KWlaをランプ電圧Ｖlaで割ることにより電流指令値KIlaを得る。
【０１０８】
図１１〜１３の様な周囲温度Ｔａに対する最大電流の関数やテーブルを用いて最大電流制限値を決める。この場合ステップＦ８で電流指令値KIlaと最大電流指令値KIla2とを比較し、電流指令値KIlaが最大電流指令値KIla2より大きければ、ステップ９で電流指令値KIlaを最大電流指令値KIla2の値と変更する（ここで、最大電流制限がかけられる）。
【０１０９】
而して上述の処理によって設定された電流指令値KIlaを用いて、放電灯５の点灯を制御する。
【０１１０】
これにより、高温状態の高出力電力を低下させることができ、メインの回路素子のストレスを低下させることができる。
【０１１１】
尚最大電力制限値MaxWlaと周囲温度Ｔａ、最大電流制限値MaxIlaと周囲温度Ｔａの関係は図７、図１２と同じであるのでここでは図示しない。
（実施形態５）
本実施形態は実施形態４と同様に制御部６にマイクロコンピュータを用いて図１９に示す処理により、定常点灯時の高温時電力調整における電力指令値設定と電流指令値設定を行うものである。
【０１１２】
つまり定常点灯時、出力電力は安定しているが、温度が上がり過ぎると素子の耐圧を越えてしまう。そこで温度がある所定値を超えて上昇すると、電力指令値KWlaからその値に比例した電力低減値を引いた値を電力指令値KWlaとして用いて点灯制御を行う。
【０１１３】
図１９のフローチャートにおいて各ステップは次のようになっている。ステップＦ１は電力指令値KWlaを設定する。次のステップＦ２ではインバータ部３の温度を読込む。そしてステップＦ３では後述する電力低減値Ｗａを設定し、ステップＦ４では電力指令値KWlaから電力低減値Ｗａを引いた値を新たに電力指令値KWla’に設定する。次のステップＦ５ではランプ電圧Ｖlaを読込み、ステップＦ６では電力指令値KWlaを読込んだ電圧値で割り、電流指令値KIlaを得る。
【０１１４】
次に本実施形態の処理動作を図１９に沿って詳説する。
【０１１５】
まず電源オンから初期設定する。そしてステップＦ１において電力指令値KWlaを設定し（定常状態においてはほぽ一定）、次にインバータ部３の温度を読込む（ステップＦ２）。
【０１１６】
次のステップＦ３では、図２０に示すようにインバータ部６の温度に対する電力低減値Ｗａを関数やテーブルを用いて決め、ステップＦ４では電力指令値KWlaから電力低減値Ｗａを引いた値を新たな電力指令値KWla’として設定する（ステップＦ５）。図２０の上部のように調整前の電力はＷ０で一定であるが、上記電力指令値KWlaから電力低減値Ｗａを引くことにより調整後の電力指令値KWla’に設定される。ステップＦ６ではランプ電圧Ｖlaを読込み、電力指令値KWlaをランプ電圧Ｖlaで割ることにより電流指令値KIlaを得る。
【０１１７】
而して以上の処理によって設定された電流指令値KIlaを用いて、放電灯５の点灯を制御する。これにより、定常状態で高温になりすぎ、素子の温度が上がりすぎるのを防ぐことができる。
【０１１８】
尚ランプ点灯までは図１８の処理を用いても良い。
【０１１９】
【発明の効果】
請求項１の発明は、直流電源と、該直流電源の電圧に比較し、低い電圧から高い電圧に至る電圧に変換して放電灯に電力を供給する電力変換部と、該電力変換部の出力を所定値に制御する制御部と、上記電力変換部若しくは装置周囲の温度を検出する温度検出部と、上記放電灯とからなる放電灯点灯装置おいて、上記制御部は、所定のランプ電力にするための電力指令値を発生する電力指令値発生手段と、上記電力指令値の最大値を制限する最大電力制限手段とを有し、上記温度検出部からの温度検出値に応じて、上記最大電力制限手段の最大電力制限値を調整するので、例えば装置の周囲温度や電力変換部の周囲温度の上昇によってランプ電力を低減して、内部損失を低減させ、温度上昇を緩和あるいは低減することが可能となり、そのため装置内の回路部品の温度ストレスを低減して、信頼性を向上させることができ、しかも光出力の立ち上がり時の温度上昇に対する保護が可能となり、さらに放電灯点灯装置の高温下による使用が可能となり、また装置の小形化が可能になるという効果がある。
【０１２０】
請求項２の発明は、請求項１の発明において、上記最大電力制限手段が、上記温度検出部からの温度検出値が上がると最大電力制限値を下げ、温度検出値が下がると最大電力制限値を上げるので、上述の請求項１の発明の効果を奏する放電灯点灯装置を提供できる。
【０１２１】
請求項３の発明は、請求項１の発明において、上記最大電力制限手段が、上記温度検出部からの温度検出値が所定の温度以上で、温度検出値が上がると最大電力制限値を下げ、温度検出値が下がると最大電力制限値を上げるので、上述の請求項１の発明の効果に加え、特に所定温度付近まで光出力の立ち上がり特性を十分確保できるという効果がある。
【０１２２】
請求項４の発明は、請求項１の発明において、上記最大電力制限手段が、上記温度検出部からの温度検出値が所定の温度以上で最大電力制限値を段階的に低減するので、請求項１の発明の効果に加え、所定温度付近まで光出力の立ち上がり特性を十分確保できるとともに、簡単な構成で実現できるという効果がある。
【０１２３】
請求項５の発明では、請求項１乃至４の何れかの発明において、上記制御部が、所定のランプ電流にするための電流指令値の最大値を制限する最大電流制限手段を有し、上記温度検出部からの温度検出値に応じて、上記最大電流制限手段の最大電流制限値を調整するので、請求項１乃至４の何れかの発明の効果に加えて、ランプ電圧が低下するなど寿命末期で劣化した放電灯に対して放電灯及び装置を提供することができるという効果がある。
【０１２４】
請求項６の発明は、請求項５の発明において、上記最大電流制限手段が、上記温度検出部からの温度検出値が上がると最大電流制限値を下げ、温度検出値が下がると最大電流制限値を上げるので、請求項５の発明の効果を奏する放電灯を提供できる。
【０１２５】
請求項７の発明は、請求項５の発明において、上記最大電流制限手段が、上記温度検出部からの温度検出値が所定の温度以上で、温度検出値が上がると最大電流制限値を下げ、温度検出値が下がると最大電流制限値を上げるので、請求項５の発明の効果に加え、特に所定温度付近まで光出力の立ち上がり特性を十分確保できるという効果がある。
【０１２６】
請求項８の発明は、請求項５の発明において、上記最大電流制限手段が、上記温度検出部からの温度検出値が所定の温度以上で最大電流制限値を段階的に低減するので、請求項５の発明の効果に加え、特に所定温度付近まで光出力の立ち上がり特性を十分確保できるとともに、簡単な構成で実現できるという効果がある。
【０１２７】
請求項９の発明では、請求項５乃至８の何れかの発明において、上記制御部は、上記温度検出部からの温度検出値に応じて、上記電力指令値発生手段の電力指令値を調整するので、請求項５乃至８の発明の効果に加え、光出力の立ち上がり時及び定常時の温度上昇に対する保護ができるという効果がある。
【０１２８】
請求項１０の発明では、請求項９の発明において、上記電力指令値発生手段は、上記温度検出部からの温度検出値が上がると電力指令値を下げ、温度検出値が下がると電力指令値を上げるので、請求項９の効果を奏する放電灯点灯装置を提供することができる。
【０１２９】
請求項１１の発明では、請求項９の発明において、上記電力指令値発生手段は、上記温度検出部からの温度検出値が所定の温度以上で、温度検出値が上がると電力指令値を下げ、温度検出値が下がると電力指令値を上げるので、また請求項１２の発明では、請求項９の発明において、上記電力指令値発生手段は、上記温度検出部からの温度検出値が所定の温度以上で電力指令値を段階的に低減するので、請求項９の効果に加えて、所定の温度付近まで光出力特性を十分確保する事ができるという効果がある。
【図面の簡単な説明】
【図１】本発明の実施形態１の回路図である。
【図２】（ａ）は同上の温度検出部の一例の回路図である。
（ｂ）は同上の温度検出部の一例の出力信号の説明図である。
【図３】（ａ）は同上の温度検出部の別の例の回路図である。
（ｂ）は同上の温度検出部の別の例の出力信号の説明図である。
【図４】（ａ）は同上の温度検出部の他の例の回路図である。
（ｂ）は同上の温度検出部の他の例の出力信号の説明図である。
【図５】同上の電力指令値の時間特性説明図である。
【図６】同上の温度による最大電力制限値の設定の説明図である。
【図７】同上の温度による最大電力制限値の別の設定の説明図である。
【図８】同上の温度による最大電力制限値の他の設定の説明図である。
【図９】本発明の実施形態２の回路図である。
【図１０】同上の電力指令値の時間特性説明図である。
【図１１】同上の温度による最大電力制限値の設定の説明図である。
【図１２】同上の温度による最大電力制限値の別の設定の説明図である。
【図１３】同上の温度による最大電力制限値の他の設定の説明図である。
【図１４】本発明の実施形態３の回路図である。
【図１５】同上の温度による最大電力制限値の設定の説明図である。
【図１６】同上の温度による最大電力制限値の別の設定の説明図である。
【図１７】同上の温度による最大電力制限値の他の設定の説明図である。
【図１８】本発明の実施形態４の処理説明用のフローチャートである。
【図１９】本発明の実施形態５の処理説明用のフローチャートである。
【図２０】同上の電力指令値の決定方法の説明図である。
【図２１】従来例の回路図である。
【図２２】同上の動作説明図である。
【符号の説明】
１  直流電源
２  ＤＣ−ＤＣコンバータ部
３  インバータ部
４  イグナイタ部
５  放電灯
６  制御部
６１  電流検出部
６２  電圧検出部
６３  電流指令値演算部
６４  電力指令値発生部
６５  誤差アンプ
６６  最大電力制限部
６７  最大電流制限部
７  温度検出部
【図１】
0003900831.tif 000002
【図２】
0003900831.tif 000003
【図３】
0003900831.tif 000004
【図４】
0003900831.tif 000005
【図５】
0003900831.tif 000006
【図６】
0003900831.tif 000007
【図７】
0003900831.tif 000008
【図８】
0003900831.tif 000009
【図９】
0003900831.tif 000010
【図１０】
0003900831.tif 000011
【図１１】
0003900831.tif 000012
【図１２】
0003900831.tif 000013
【図１３】
0003900831.tif 000014
【図１４】
0003900831.tif 000015
【図１５】
0003900831.tif 000016
【図１６】
0003900831.tif 000017
【図１７】
0003900831.tif 000018
【図１８】
0003900831.tif 000019
【図１９】
0003900831.tif 000020
【図２０】
0003900831.tif 000021
【図２１】
0003900831.tif 000022
【図２２】
0003900831.tif 000023